(57)【特許請求の範囲】
【請求項１】
偏平率ＡＳが５５％以下であり、サイドウォール部最大幅位置に相当するタイヤ内周面の位置を少なくとも一部に包含するタイヤ内周面の領域に短繊維が固着され、前記サイドウォール部最大幅位置のタイヤ厚さが、ビードコアの幅ＢＷと、前記偏平率ＡＳとの関係において、ＢＷ×（１−ＡＳ）以下である、ことを特徴とする空気入りタイヤ。
【請求項２】
前記サイドウォール部最大幅位置に相当するタイヤ内周面の位置からビードコアのタイヤ半径方向外側端までのタイヤ内周面の領域の少なくとも一部に前記短繊維が固着され、ビードフィラーの高さが２５ｍｍ以下である、請求項１に記載の空気入りタイヤ。
【請求項３】
一枚以上のベルト層からなるベルトをトレッド部に具え、前記サイドウォール部最大幅位置からベルトのタイヤ幅方向外側端までの領域の少なくとも一部に前記短繊維が固着され、前記領域における最小のタイヤ厚さが１０ｍｍ以下である、請求項１に記載の空気入りタイヤ。
【発明の詳細な説明】
【技術分野】
【０００１】
本発明は、空気入りタイヤに関する。
【背景技術】
【０００２】
空気入りタイヤは、その構造上、タイヤ内部の円管長さに起因する空洞共鳴現象を有することが知られている。そして、いずれの空気入りタイヤにおいても、その周長から空洞共鳴周波数は２００〜２７０Ｈｚの範囲となり、不快な車室内騒音の一因となっている。
【０００３】
上記の通り、車室内騒音の発生要因がタイヤ内部の空気の共鳴であることから、その改良手法としては、タイヤ内部で吸音させる方法が有効であり、従来、例えば、特許文献１に記載されているように、タイヤ内周面に短繊維を接着する手法等が提案されている。
【０００４】
ところで、近年、自動車の燃費改善のために、タイヤの重量低減が求められている。タイヤの重量低減のためには、サイド部のゲージ（厚み）、ビードフィラーの高さ、カーカスプライ枚数、カーカスプライ折り返しの高さ等のいずれかを低減させることとなる。
【先行技術文献】
【特許文献】
【０００５】
【特許文献１】特開２００４−８２３８７号公報
【発明の概要】
【発明が解決しようとする課題】
【０００６】
しかしながら、タイヤの重量を低減するために、サイド部のゲージ（厚み）、ビードフィラーの高さ、プライ枚数、プライ折り返しの高さ等を低減すると、タイヤの剛性が低下し、操縦安定性の低下、ピンチカット等のサイドカットに対する強度の低下を招く、という問題があった。
【０００７】
そこで、本発明は、タイヤの重量を大きく増やすことなく、操縦安定性の低下と耐サイドカット性の低下の少なくとも一方を抑え、さらに空洞共鳴音低減を図ることのできる空気入りタイヤを提供することを目的とする。
【課題を解決するための手段】
【０００８】
本発明の空気入りタイヤは、偏平率ＡＳが５５％以下であり、サイドウォール部最大幅位置に相当するタイヤ内周面の位置を少なくとも一部に包含するタイヤ内周面の領域に短繊維が固着され、前記サイドウォール部最大幅位置のタイヤ厚さが、ビードコアの幅ＢＷと、前記偏平率ＡＳとの関係において、ＢＷ×（１−ＡＳ）以下である、ことを特徴とする。
なお、本発明における「幅」及び「幅方向」とは、いずれもタイヤ幅方向の距離又は長さ、及びタイヤの幅方向を指すものとする。また、本発明の空気入りタイヤにおける「偏平率」や各部位の寸法等は、タイヤを適用リムに組み付けて規定内圧を充填した無負荷の状態で測定するものとする。上記の「適用リム」とは、タイヤサイズに応じて下記の規格に規定された標準リム（下記ＴＲＡのＹＥＡＲ  ＢＯＯＫでは、“Ｄｅｓｉｇｎ  Ｒｉｍ”、下記ＥＴＲＴＯのＳＴＡＮＤＡＲＤＳ  ＭＡＮＵＡＬでは“Ｍｅａｓｕｒｉｎｇ  Ｒｉｍ”）をいい、「規定内圧」とは、下記の規格において、最大負荷能力に対応して規定される空気圧をいい、「最大負荷能力」とは、下記の規格でタイヤに付加されることが許容される最大の質量をいう。そして、その規格とは、タイヤが生産または使用される地域に有効な産業規格によって決められたものであり、例えば、アメリカ合衆国では、“ＴＨＥ  ＴＩＲＥ  ＡＮＤ  ＲＩＭ  ＡＳＳＯＣＩＡＴＩＯＮ  ＩＮＣ．（ＴＲＡ）”の“Ｙｅａｒ  Ｂｏｏｋ”であり、欧州では“Ｔｈｅ  Ｅｕｒｏｐｅａｎ  Ｔｉｒｅ  ａｎｄ  Ｒｉｍ  Ｔｅｃｈｎｉｃａｌ  Ｏｒｇａｎｉｚａｔｉｏｎ（ＥＴＲＴＯ）”であり、日本では、“日本自動車タイヤ協会（ＪＡＴＭＡ）”の“ＪＡＴＭＡ  ＹＥＡＲ  ＢＯＯＫ”である。
【０００９】
通常、サイドウォール部最大幅位置の厚さがＢＷ×（１−ＡＳ）以下であると、サイド部の剛性が低いため、操縦安定性、耐サイドカット性の面で性能的に不十分である。本発明においては、この部分に短繊維を固着させ、固着に使用する接着剤により形成される接着剤層により剛性を高めることができ、結果として操縦安定性の低下、耐サイドカット性低下を防ぐことが可能となる。加えて、タイヤをリムに装着したときに形成される空気室内面に対してこれらの短繊維が設けられ、吸音効果を発揮し、空洞共鳴音の発生を抑制できる。上記効果は、偏平率が５５％以下の空気入りタイヤにおいて、確実に実現し得るものである。
【００１０】
本発明の空気入りタイヤの一実施態様においては、前記サイドウォール部最大幅位置に相当する位置からビードコアのタイヤ半径方向外側端までのタイヤ内周面の領域の少なくとも一部に前記短繊維が固着され、ビードフィラーの高さが２５ｍｍ以下である。
なお、本発明における「高さ」とは、タイヤ半径方向の距離又は長さを指すものとする。
ビードフィラー高さを２５ｍｍ以下とすることで、タイヤの軽量化に寄与することが可能である。しかし、これに伴って、操縦安定性、耐サイドカット性の低下が生じ得るため、この場合、サイドウォール部の最大幅位置からビード側の領域に短繊維を固着させて、剛性を高めることが望ましい。サイドウォール部の最大幅位置からビード側の領域は、特に操縦安定性への寄与が大きいため、これらの部分の剛性を高めることが望まれる。
【００１１】
本発明の空気入りタイヤの他の実施態様は、一枚以上のベルト層からなるベルトをトレッド部に具え、前記サイドウォール部最大幅位置からベルトのタイヤ幅方向外側端までのタイヤ内周面の領域の少なくとも一部に前記短繊維が固着され、前記領域における最小のタイヤ厚さが１０ｍｍ以下である。
ここで、「タイヤ厚さ」とは、タイヤを適用リムに組み付けて規定内圧を充填した無負荷の状態のタイヤ幅方向断面で、対象となるタイヤ内周面の位置または領域における、タイヤ内周面に対して垂直に測定したタイヤ厚さを指すものとする。
前記最大幅位置からベルトの幅方向外側端部までの領域の最小のタイヤ厚さを１０ｍｍ以下とすることで、タイヤの軽量化に寄与することが可能である。しかし、これに伴う耐サイドカット性、操縦安定性の低下を生じ得るため、この場合、前記最大幅位置からベルトの幅方向外側端までの領域に短繊維を固着させて、剛性を高めることが望ましい。サイドウォール部の最大幅位置からベルトの幅方向外側端部までの領域は、特に耐サイドカット性への寄与が大きいため、これらの部分の剛性を高めることが望まれる。
【発明の効果】
【００１２】
本発明によれば、タイヤの重量を増やすことなく、操縦安定性の低下、耐サイドカット性の低下を抑え、さらに空洞共鳴音低減を図ることのできる空気入りタイヤを提供することができる。
【図面の簡単な説明】
【００１３】
【図１】本発明の空気入りタイヤの一実施形態のタイヤ幅方向断面図である。
【図２】本発明の空気入りタイヤの一実施形態のビード部近傍タイヤ幅方向断面図である。
【図３】空洞共鳴測定の装置と原理を示す模式図である。
【図４】実施例１、比較例１、２のタイヤにおける空洞共鳴の測定結果を示す図である。
【図５】耐サイドカット性試験の装置を示す模式図である。
【発明を実施するための形態】
【００１４】
発明者は、タイヤ内の空洞共鳴を抑制するためにタイヤ内周面に短繊維を固着させたタイヤにおいて、特に短繊維を固着させる接着剤層が存在するために、タイヤの短繊維固着部の剛性が高くなることに着目し、特に偏平率が５５％以下の空気入りタイヤについて、タイヤの重量低減のためにサイド部のゲージ（厚み）、ビードフィラーの高さ、カーカスプライ枚数、カーカスプライ折り返しの高さ等のいずれかを減じたタイヤにおいて生じる剛性の低下、並びにこれにより生じ得る操縦安定性及び耐サイドカット性の低下を、該固着部を配することで軽減し得ることを見出し、本発明に至った。
【００１５】
以下に、図を参照しながら本発明を詳細に例示説明する。図１は、本発明の空気入りタイヤの一実施形態のタイヤ幅方向の断面図である。図１に示す空気入りタイヤは、一対のビード部１及び一対のサイドウォール部２と、両サイドウォール部２に連なるトレッド部３とを有し、上記一対のビード部１間にトロイド状に延在してこれら各部１，２，３を補強する一枚のカーカスプライからなるカーカス４と、前記トレッド部３の前記カーカス４のタイヤ半径方向外側に配置された二枚のベルト層からなるベルト５と、該ベルト５のタイヤ半径方向外側に配置された一層のベルト補強層６と、前記ビード部１内に夫々埋設したビードコア７のタイヤ半径方向外側に配置されたビードフィラー８と、上記カーカス４のタイヤ内周面側に配置したインナーライナー９とを備える。
なお、図１及び図２は、タイヤを適用リムに組み付けて規定内圧を充填した無負荷の状態を示すものとする。
【００１６】
図示例のカーカス４は、一枚のカーカスプライから構成され、また、一対のビードコア７間にトロイド状に延在する本体部と、各ビードコア７の周りで、タイヤ幅方向の内側から外側に向けてタイヤ半径方向外方に巻上げた折り返し部とからなるが、本発明の空気入りタイヤにおいて、カーカス４のプライ数及び構造は、これに限られるものではない。また、図示例の空気入りタイヤにおいては、カーカス本体部とカーカス折り返し部との間にビードフィラー８が配置されている。
【００１７】
また、図示例の空気入りタイヤのトレッド部３においては、上記カーカス４のクラウン部のタイヤ半径方向外側には二枚のベルト層からなるベルト５が配置されており、該ベルト層は、通常、タイヤ赤道面Ｅに対して傾斜して延びるスチールコードのゴム引き層からなり、二枚のベルト層は、該ベルト層を構成するスチールコードが互いにタイヤ赤道面Ｅを挟んで交差するように積層されてベルト５を構成する。図中のベルト５は、二枚のベルト層からなるが、本発明の空気入りタイヤにおいては、ベルト５を構成するベルト層の枚数は、三枚以上であってもよい。また、図示例の空気入りタイヤにおいては、スチールコードを有しない、一層のベルト補強層６が、ベルト５のタイヤ半径方向外側に配置されているが、本発明の空気入りタイヤは、ベルト補強層６を備えていなくてもよく、また、ベルト補強層６の枚数は、二枚以上であってもよい。
【００１８】
本発明の空気入りタイヤは、タイヤ内周面のサイドウォール部が最大幅ＭＷとなる最大幅位置１１に相当する位置を少なくとも一部に包含する領域に、後述の短繊維１０が固着される。このようにタイヤ内周面の少なくとも一部に短繊維が付与されることにより、空洞共鳴を軽減することができる。
【００１９】
本発明の空気入りタイヤにおけるサイドウォール部の最大幅位置１１のタイヤ厚さ（以下「ゲージ」ともいう）は、ビードコアの幅ＢＷと、タイヤの偏平率ＡＳとの関係で、ＢＷ×（１−ＡＳ）以下である。ここで、本発明の空気入りタイヤの偏平率ＡＳは０．５５（５５％）以下、より好適には０．３５〜０．５５とする。偏平率ＡＳが５５％以下であると、後述の短繊維固着部の付与による剛性向上効果が確実に現れるものである。サイドウォール部のゲージを上記式に適合する薄さとすることで、短繊維固着前におけるタイヤの重量を十分に軽くすることができる。しかし、このままではタイヤの剛性低下による操縦安定性及び耐サイドカット性の低下を生じ得るため、サイドウォール部最大幅位置１１に相当するタイヤ内周面の位置を少なくとも一部に包含するタイヤ内周面の領域の少なくとも一部に短繊維固着部を付与する必要がある。
【００２０】
本発明の空気入りタイヤのビードフィラー高さＢＨは、２５ｍｍ以下、特に１５〜２５ｍｍであることが好ましい。ビードフィラーの高さを２５ｍｍ以下とすることで、短繊維固着前におけるタイヤの重量を、一般に市販されるタイヤと比して確実に減じることができる。しかし、このままではタイヤのビード付近の剛性が低くなり、特に操縦安定性が低下するおそれがあるため、この場合、サイドウォール部最大幅位置１１に相当するタイヤ内周面の位置からビードコアのタイヤ半径方向外側端までのタイヤ内周面の領域（図中の領域Ｕ）の少なくとも一部に短繊維固着部を付与することが好ましい。
【００２１】
本発明の空気入りタイヤは、サイドウォール部最大幅位置１１からベルト５のタイヤ幅方向外側端までの領域（図中の領域Ｄ）の最小のタイヤ厚さが１０ｍｍ以下、特に６〜１０ｍｍであることが好ましい。この領域の最小のタイヤ厚さを１０ｍｍ以下とすることで、短繊維固着前におけるタイヤの重量を、一般に市販されるタイヤと比して確実に減じることができる。しかし、このままでは、特にタイヤの耐サイドカット性の低下を生じ得るため、この場合、当該領域Ｄのタイヤ内周面の少なくとも一部に短繊維固着部を付与する必要がある。
【００２２】
図２に示されるように、本発明の空気入りタイヤのサイドウォール部の最大幅位置１１でのプライ枚数は、３枚以下であることが好ましい。プライ枚数を減じることで、タイヤ重量を減じることができる。
【００２３】
図示例の空気入りタイヤでは、より空洞共鳴音低減効果を高めるために前記タイヤ内周面のうち、トレッド部３のタイヤ内周面にも短繊維１０が固着されているが、重量の増加を抑えたい場合には、この部分への短繊維の固着を省略してもよい。
【００２４】
ここで、短繊維固着層に使用される上記短繊維１０としては、有機合成繊維、無機繊維、再生繊維、天然繊維等の短繊維を用いることができる。また、有機合成繊維としては、例えば、ポリエチレン、ポリプロピレン、ポリブチレン等のポリオレフィン、ナイロン等の脂肪族ポリアミド、ケブラー等の芳香族ポリアミド、ポリエチレンテレフタレート、ポリエチレンナフタレート、ポリエチレンサクシネート、ポリメチルメタクリレート等のポリエステル、シンジオタクチック−１，２−ポリブタジエン、アクリロニトリル−ブタジエン−スチレン共重合体、ポリスチレン、及びこれらの共重合体等からなる繊維が挙げられる。また、無機繊維としては、例えば、カーボン繊維、グラスファイバー等が挙げられる。また、再生繊維としては、例えば、レーヨン、キュプラ等が挙げられる。また、天然繊維としては、例えば、綿、絹、羊毛等が挙げられる。
【００２５】
本発明の空気入りタイヤにおいては、前記短繊維がタイヤ内周面に固着されている領域において、前記短繊維が１平方センチメートル当たり５００本以上設けられていることが好ましい。この場合、空洞共鳴音の低減効果を確実に得ることができる。なお、より優れた空洞共鳴音低減効果を得る観点から、前記短繊維は、１平方センチメートル当たり１０００本以上設けられていることが更に好ましく、１平方センチメートル当たり１０００本以上２００００本以下設けられていることが特に好ましい。
【００２６】
本発明の空気入りタイヤの他の好適例において、前記短繊維は、平均長さが０．５〜１０ｍｍである。短繊維の長さを０．５ｍｍ以上とすることで、空洞共鳴音を低減する効果が十分に得られる。一方で、短繊維の平均長さを１０ｍｍ以下とすることで、短繊維同士の絡み合いによるダマが発生し、吸音効果が十分に発現できなくなる問題を回避することができる。なお、同様の観点から、前記短繊維の平均長さは、２〜８ｍｍが特に好ましい。
短繊維が固着されている面積は、タイヤ内周面の面積に対して、２５％以上、特に５０％以上、さらに７０％以上とすることが好ましい。短繊維固着面積率を５０％以上とすることで、空洞共鳴音を確実に低減することができる。
【００２７】
また、本発明の空気入りタイヤの他の好適例において、前記短繊維は、平均直径が１〜５００μｍである。この場合、短繊維の製造工程における糸切れの発生を抑制して、短繊維の生産性の低下を抑制でき、また、タイヤの重量増による転がり抵抗の上昇を抑制して、タイヤを装着した車両の燃費の低下を抑制することができる。
【００２８】
また、本発明の空気入りタイヤにおいては、前記短繊維の長さ（Ｌ）と直径（Ｄ）との比（Ｌ／Ｄ）が５≦Ｌ／Ｄ≦２０００の範囲にあることが好ましい。短繊維の長さと直径の比（Ｌ／Ｄ）が５未満では、空洞共鳴音を低減する効果が小さくなる。一方、短繊維の長さと直径の比（Ｌ／Ｄ）が２０００を超えると、短繊維同士の絡み合いによるダマが発生し、吸音効果が十分に発現できなくなるおそれがある。
【００２９】
また、本発明の空気入りタイヤにおいては、前記短繊維の固着されている領域が複数の短繊維固着層からなり、該複数の短繊維固着層が互いに独立して固着されていることが好ましい。短繊維の固着されている領域を、連続せずに設けることにより、仮に接着層がはがれることがあったとしても、はがれる範囲が極僅かで止まり、空洞共鳴抑制効果を維持することができる。
【００３０】
本発明の空気入りタイヤを製造するには、まず、サイドウォール部が最大幅ＭＷとなる最大幅位置１１に相当する位置を少なくとも一部に包含する領域に接着剤を塗布する塗布工程と、前記接着剤を塗布した部位に短繊維を接着させる接着工程とを備える。短繊維と接着剤により、タイヤ内周面に短繊維固着層を形成することを特徴とする。この製造方法によれば、空洞共鳴音の発生を抑制できる空気入りタイヤを効率的に製造することができる。
【００３１】
使用する接着剤は特に限定されず、任意の接着剤を使用することができるが、ウレタン樹脂系接着剤、アクリル樹脂系接着剤、エポキシ樹脂系接着剤などを好適に使用できる。形成される接着剤層の厚みも短繊維の長さを超えなければ、特に限定されるものではないが、５０〜５００μｍであることが好ましい。
【００３２】
本発明の空気入りタイヤの製造方法においては、塗布工程の後、すなわち接着工程において、静電植毛加工により前記短繊維１０をタイヤ内周面に設けることが好ましい。短繊維１０は、種々の方法でタイヤ内周面に接着させることができるが、静電植毛加工を用いることにより、短繊維１０を簡単にタイヤ内周面に立設させた状態で固着させることができ、吸音効果を得ることのできる空気入りタイヤを効率的に製造することができる。
【００３３】
静電植毛加工は、短繊維を帯電させ、静電気力により、予め接着剤を塗布した物体に短繊維を垂直に植毛する加工技術であるため、複雑な形状の物体表面にも均一に短繊維を植毛することができ、３次元的に曲率をもったタイヤ内周面に短繊維１０を植毛するのに適している。
【００３４】
上述した本発明の空気入りタイヤは、通常、リムに組み付けられ、タイヤとリムとの組立体として、目的の車両に取り付けられて使用される。ここで、空洞共鳴音低減効果を更に高めるために、リムの一部又は全面に上述した短繊維を固着してもよい。
【実施例】
【００３５】
以下に、実施例を挙げて本発明を更に詳しく説明するが、本発明は下記の実施例に何ら限定されるものではない。
【００３６】
＜実施例１〜３＞
表１に示すような、通常市販されるサイズ２５５／３５Ｒ２０のタイヤから、サイドウォール部最大幅位置及び上記領域Ｄのゲージ並びにビードフィラー高さＢＨを減じて、タイヤ重量を低減したタイヤを調製した。重量低減タイヤの内周面の全体に、ナイロン製の短繊維を接着剤で固着した。短繊維固着領域における短繊維は、一平方センチメートル当たりの本数を２０００本、平均長さを４ｍｍ、平均直径を５０μｍ、短繊維固着面積率を１００％とした。接着剤としてはウレタン樹脂系接着剤を使用し、形成された接着剤層の平均膜厚は２５０μｍであった。
短繊維を上記領域Ｕにのみ配した以外は実施例１と同様にして、実施例２の供試タイヤを製造した。
短繊維を上記領域Ｄにのみ配した以外は実施例１と同様にして、実施例３の供試タイヤを製造した。
【００３７】
＜比較例１、２＞
表１に示すような、通常市販されるサイズ２５５／３５Ｒ２０のタイヤを比較例１とした。短繊維を全く固着させない以外は、実施例と同様にして比較例２の供試タイヤを製造した。
【００３８】
実施例１〜３及び比較例１、２の各タイヤに対して、以下のようにして、空洞共鳴、操縦安定性、及び耐サイドカット性を評価した。
＜空洞共鳴＞
各供試タイヤを８．５Ｊ−２０のリムに装着して、充填内圧２６０ｋＰａ、タイヤ負荷質量５．０ｋＮ、時速８０ｋｍ／ｈの条件で、図３に示すように直径１．７ｍの鉄板表面を持つ鉄製ドラムを備えたドラム試験機（図３）を用いて転動させ、ホイール分力計を用いて生じる上下方向タイヤ軸力を測定して評価した。その結果の周波数スペクトルを図４に示す。図４のスペクトルにおいて、２１０Ｈｚのピークが低いほど、タイヤの空洞共鳴音が低減したことを示す。図４のスペクトルから。各供試タイヤの比較例１のタイヤに対する当該ピークの低減量（ｄＢ）を求めた。
＜操縦安定性＞
車両の操縦安定性を支配するタイヤのコーナリング特性の指標として、フラットベルト試験機で測定したＣＰ（コーナリングパワー）を評価した。各供試タイヤを８．５Ｊ−２０のリムに装着して、タイヤの充填内圧２６０ｋＰａ、負荷質量を５．０ｋＮとし、時速８０ｋｍ／ｈでフラットベルト試験機を用いてタイヤを転動させ、±０度、０．５度、１度のスリップ角を付与してタイヤに発生した応力を測定し、０度における傾き（ｋｇｆ／ｄｅｇ）を求めた。ＣＰが１．５ｋＮ／ｄｅｇ以上であれば、十分な操縦安定性を有しているといえる。
＜耐サイドカット性＞
各供試タイヤを８．５Ｊ−２０のリムに装着して、内圧が２６０ＭＰａとなるよう充填し、図５に示す、ストライカー形状Ｒ（打撃面の半径）＝５０ｍｍ、振り子長さＬ＝１８３０ｍｍ（６ｆｔ）、振り子重量Ｍ＝６０．５５ｋｇの振り子型の試験機を用いて、振り上げ角θを９０度として供試タイヤに衝突させた。その際、ＳＡ角／ＣＡ角（ＳＡ角：スリップ角（タイヤ赤道面と振り子の移動する面との角度）、ＣＡ角：キャンバー角（タイヤ面が地面に垂直な面となす角度））を、０度／５度とした。各供試タイヤの破損の有無を観察した。
【００３９】
【表１】
0005519814.tif 000002
【００４０】
図４において、２１０Ｈｚ付近に見られるピークが、実施例１〜３のタイヤでは、比較例１と比較して３〜５ｄＢの大きな低減効果が得られた。また、比較例２の重量低減タイヤと比較して、実施例１〜３は、その重量は比較例２とほぼ変わらないにも関わらず、実施例１においては操縦安定性と耐サイドカット性の両方、実施例２においては操縦安定性、実施例３においては耐サイドカット性が改善していることが分かった。
【符号の説明】
【００４１】
１…ビード部、１Ａ…ビード部のタイヤ半径方向内側端部、２…サイドウォール部、３…トレッド部、４…カーカス、５…ベルト、６…ベルト補強層、７…ビードコア、８…ビードフィラー、９…インナーライナー、１０…短繊維、１１…溝部分、ＭＷ…サイドウォール部の最大幅、ＢＷ…ビードコア部の幅、ＢＨ…ビードフィラー高さ、Ｅ…タイヤ赤道面、Ｕ…サイドウォール部最大幅位置からビードコアのタイヤ半径方向外側端部までの領域、Ｄ…サイドウォール部最大幅位置からベルトの幅方向外側端部までの領域。
【要約】      （修正有）【課題】タイヤの重量を増やすことなく、操縦安定性の低下と耐サイドカット性低下の少なくとも一方を抑え、さらに空洞共鳴音低減を図ることのできる空気入りタイヤを提供する。【解決手段】偏平率ＡＳが５５％以下であり、サイドウォール部最大幅ＭＷ位置に相当するタイヤ内周面の位置を少なくとも一部に包含するタイヤ内周面の領域に短繊維１０が固着され、前記サイドウォール部最大幅位置のタイヤ厚さが、ビードコアの幅ＢＷと、前記偏平率ＡＳとの関係において、ＢＷ×（１−ＡＳ）以下である、ことを特徴とする空気入りタイヤ。【選択図】図１【図１】
0005519814.tif 000003
【図２】
0005519814.tif 000004
【図３】
0005519814.tif 000005
【図４】
0005519814.tif 000006
【図５】
0005519814.tif 000007